(57)【要約】      （修正有）【課題】世界時計装置の時刻の修正のための時間を節約できると共に、精度が保証されるデジタル世界時計装置を提供する。【解決手段】記憶モジュール１２、処理モジュール１４および電力モジュール１５３がケースの中に据え付けられる。表示モジュール１３および切り替えモジュール１５１はケースの表面に据え付けられる。処理モジュール１４は基準時刻を生成し、記憶モジュール１２内の複数の都市の時刻リストをロードし、都市の現地時刻を計算する。表示モジュール１３は、都市名および対応する都市の現地時刻を交互にかつ周期的に表示する。デジタル世界時計装置は、都市名のうちの１つおよび対応する都市の現地時刻の各々を交互にかつ周期的に表示する。デジタル世界時計装置を修正する必要があるとき、ユーザは、基準時刻を修正するように処理モジュール１４を調節するだけである。【選択図】図２
0003204826.tif 000002
【実用新案登録請求の範囲】
【請求項１】
ケースと、
前記ケースの中に据え付けられており、都市名、前記都市名に対応する時間帯情報および前記都市名に対応する夏時間情報を含む複数の都市の時刻リストを記憶する記憶モジュールと、
前記ケースの表面に据え付けられている表示モジュールと、
前記ケースの中に据え付けられており、前記記憶モジュールおよび前記表示モジュールに電気接続されている処理モジュールであって、前記都市名のうちの１つに対応する現地時刻として基準時刻を生成し、前記記憶モジュール内に記憶された前記都市の時刻リストをロードし、前記基準時刻および前記都市の時刻リストに従って前記都市の時刻リスト内に含まれる前記都市名に対応する都市の現地時刻を計算し、前記記憶モジュール内の前記都市名および前記対応する都市の現地時刻を交互にかつ周期的に表示するように前記表示モジュールを制御する処理モジュールと、
前記ケースの表面に据え付けられている切り替えモジュールと、
前記ケースの中に据え付けられている電圧調整器モジュールと、
前記ケースの外側に据え付けられており、前記電圧調整器モジュールおよび前記切り替えモジュールを介して前記記憶モジュール、前記表示モジュールおよび前記処理モジュールに電気接続される電力モジュールと
を備えており、
前記切り替えモジュールは、前記記憶モジュール、前記表示モジュールおよび前記処理モジュールに前記電力モジュールが電力を提供するか否かを制御するものであることを特徴とする、デジタル世界時計装置。
【請求項２】
前記処理モジュールに電気接続されており、ネットワーク修正信号を受信するためにインターネットに有線または無線で接続されるネットワーク接続モジュールを更に備え、
前記処理モジュールは、前記ネットワーク修正信号に従って前記基準時刻を自動的に修正するものである、請求項１に記載のデジタル世界時計装置。
【請求項３】
前記ケースの表面に据え付けられており、前記処理モジュールに電気接続される全地球測位システム（ＧＰＳ）接続モジュールを更に備え、
前記ＧＰＳ接続モジュールは、ＧＰＳ修正信号を受信するために外部のＧＰＳモジュールに接続するのに使用されるものであり、
前記処理モジュールは、前記ＧＰＳ修正信号に従って前記基準時刻を自動的に修正するものである、請求項１または２に記載のデジタル世界時計装置。
【請求項４】
前記表示モジュールは、
前記処理モジュールによって制御される都市名を表示する都市名表示エリアと、
前記都市名表示エリアに表示された前記都市名に対応する都市名の現地時刻を表示する時刻表示エリアと、
前記時刻表示エリアに表示される前記都市の現地時刻のＡＭまたはＰＭを示すＡＭ（午前零時以後）およびＰＭ（午前零時以前）表示エリアと、
前記都市名表示エリア内に表示される前記都市名に対応する曜日を表示する曜日表示エリアと
を含む、請求項１〜３のいずれか一項に記載のデジタル世界時計装置。
【請求項５】
前記処理モジュールに電気接続された赤外線受信モジュールと、
赤外線信号を生成し、該赤外線信号を前記赤外線受信モジュールに送信するようにユーザによって操作される赤外線制御装置と
を更に備え、
前記赤外線受信モジュールは、前記赤外線信号を受信し前記赤外線信号を前記処理モジュールに送信し、
前記処理モジュールは、
前記都市名のうちの特定の１つおよび前記対応する都市の現地時刻を表示する、前記記憶モジュール内に記憶された前記都市の時刻リストの１つまたは複数を追加または削除する、前記都市名のうちの特定の１つおよび前記対応する都市の現地時刻を継続的に表示するように前記表示モジュールを制御する、あるいは表示される前記都市名のうちの１つおよび前記対応する都市の現地時刻の表示形式を変更するように前記表示モジュールを制御する、請求項１〜３のいずれか一項に記載のデジタル世界時計装置。
【請求項６】
電力および直列信号を受け取り、前記記憶モジュール、前記表示モジュールおよび前記処理モジュールに電気接続されている直列入力モジュールと、
前記処理モジュールおよび前記切り替えモジュールに電気接続されている直列出力モジュールと
を更に備え、
前記直列入力モジュールは、前記直列信号を前記処理モジュールに送信し、前記電力を前記記憶モジュール、前記表示モジュールおよび前記処理モジュールに出力するものであり、
前記処理モジュールは、前記直列信号に従って前記基準時刻を修正するものであり、
前記直列出力モジュールは、前記処理モジュールから前記直列信号を受信し、前記処理モジュールによって生成された前記直列信号を出力し、前記切り替えモジュールを介して前記電力モジュールから電力を受け取り、前記電力を出力するものである、請求項１〜３のいずれか一項に記載のデジタル世界時計装置。
【考案の詳細な説明】
【技術分野】
【０００１】
本考案は、壁掛け時計に関し、詳細にはデジタル世界時計装置に関する。
【背景技術】
【０００２】
異なる都市の時刻を表示するための一般的な方法は、異なるアナログ時計を使用して異なる都市の様々な時間帯における現地時間をそれぞれ表示することである。例えば、３つの異なる都市、例えば台北、東京およびニューヨークの現地時間を表示するにはホテルのフロントの壁に３つのアナログ時計が掛けられるのが通常である。したがって旅行者は、３つの異なる都市における現地時間を知ることで予定が組まれた行事に出られなくなるのを回避する。
【０００３】
しかしながら異なるアナログ時計は別々に稼働している。アナログ時計のうちのいずれか１つは、残りのアナログ時計とは関係がない。異なるアナログ時計に表示される異なる都市での時刻は、いかなる関連性も持たない可能性がある。異なるアナログ時計は同時には進まないため、アナログ時計のうちのいずれか２つの時計の間の時差には、わずかな誤差が含まれる可能性がある。アナログ時計の時刻の修正を必要とする場合、ユーザは、アナログ時計の時刻を別々にかつ手動で修正する。アナログ時計の時刻の修正のための方法は複雑であり、かつ誤りが生じやすい。その上、ユーザが夏時間の開始時と終了時にアナログ時計の時刻を別々にかつ手動で調節することは面倒である。したがって異なる都市の時刻を表示するための方法を改善する必要がある。
【先行技術文献】
【特許文献】
【０００４】
【特許文献１】（特になし）
【考案の概要】
【考案が解決しようとする課題】
【０００５】
本考案の目的は、異なる都市の時刻を表示するための方法を改善するためのデジタル世界時計装置を提供することである。
【課題を解決するための手段】
【０００６】
前述の目的を達成するためにデジタル世界時計装置は、ケース、記憶モジュール、表示モジュール、処理モジュール、切り替えモジュール、電圧調整器モジュールおよび電力モジュールを備える。
【０００７】
記憶モジュールはケースの中に据え付けられ、複数の都市の時間リストを記憶する。都市の時刻リストの各々は、都市名、その都市名に対応する時間帯情報、およびその都市名に対応する夏時間情報を含む。
【０００８】
表示モジュールはケースの表面に据え付けられる。
【０００９】
処理モジュールはケースの中に据え付けられ、記憶モジュールおよび表示モジュールに電気接続される。処理モジュールは、都市の時刻リストの都市名の１つに対応する基準時刻を生成し、記憶モジュール内に記憶された都市の時刻リストをロードし、この基準時刻と都市の時刻リストに従って都市の時刻リスト内に含まれる都市名に対応する都市の現地時刻を計算する。その後、処理モジュールが都市名および対応する都市の現地時刻を交互にかつ周期的に表示するように表示モジュールを制御する。
【００１０】
切り替えモジュールはケースの表面に据え付けられる。
【００１１】
電圧調整器モジュールはケースの中に据え付けられる。
【００１２】
電力モジュールはケースの外側に据え付けられ、電圧調整器モジュールおよび切り替えモジュールを介して記憶モジュール、表示モジュールおよび処理モジュールに電気接続される。切り替えモジュールは、電力モジュールが記憶モジュール、表示モジュールおよび処理モジュールに電力を提供するか否かを制御する。
【考案の効果】
【００１３】
記憶モジュールが都市の時刻リストを記憶し、都市の時刻リストの各々が都市名、時間帯情報および夏時間情報を含むため、処理モジュールは、基準時間および都市の時刻リストに従って都市の現地時刻を計算することができ、都市名のうちの１つおよび対応する都市の現地時刻のそれぞれを交互にかつ周期的に表示するように表示モジュールを制御する。したがってデジタル世界時計装置は、複数の都市の現地時刻を表示することができる。デジタル世界時計装置を修正する必要があるとき、ユーザは処理モジュールを調節して基準時刻を修正し、デジタル世界時計装置は、処理モジュールによって基準時間および都市の時刻リストに従って都市の現地時刻を計算することができる。したがってユーザは、各々の都市の現地時刻を別々に修正する必要がなく、世界時計装置の時間修正のための時間を節約する。その上、都市の現地時刻は手動による調節の代わりに処理モジュールの計算によって得られるため、都市のうちのいずれか２つの間の時差の誤差が回避され精度を保証する。
【図面の簡単な説明】
【００１４】
【図１】本考案の一実施形態の概略斜視図である。
【図２】本考案の一実施形態の回路ブロック図である。
【図３】使用中の本考案の一実施形態の概略図である。
【図４】本考案の一実施形態における制御装置の概略図である。
【図５】直列に接続された本考案の５つの世界時計装置の概略図である。
【考案を実施するための形態】
【００１５】
図１および図２を参照すると、本考案の一実施形態はデジタル世界時計装置１０である。デジタル世界時計装置１０は、ケース１１、記憶モジュール１２、表示モジュール１３、処理モジュール１４、切り替えモジュール１５１、電圧調整器モジュール１５２および電力モジュール１５３を備える。
【００１６】
記憶モジュール１２はケース１１の中に据え付けられ、複数の都市の時刻リストを記憶する。都市の時刻リストの各々は、都市名、都市名に対応する時間帯情報、および都市名に対応する夏時間情報を含む。
【００１７】
表示モジュール１３はケース１１の表面に据え付けられる。処理モジュール１４はケース１１の中に据え付けられ、記憶モジュール１２および表示モジュール１３に電気接続される。処理モジュール１４は、都市の時刻リストの都市名の１つに対応する現地時刻として基準時刻を生成し、記憶モジュール１２内に記憶された都市名リストをロードし、この基準時刻および都市の時刻リストに従って都市の時刻リスト内に含まれる都市名に対応する都市の現地時刻を計算する。その後、処理モジュール１４は、都市名および対応する都市の現地時刻を交互にかつ周期的に表示するように表示モジュール１３を制御する。例えば基準時刻はグリニッジ標準時（ＧＭＴ）である。都市の時刻リストのうちの１つの時間帯情報は、台北の時間帯であり、これは通常ＧＭＴ＋８で表され、台北には夏時間がない。したがって処理モジュール１４は、グリニッジ標準時に８時間を加えることによって台北の現地時刻を計算することができる。
【００１８】
切り替えモジュール１５１はケース１１の表面に据え付けられる。電圧調整器モジュール１５２は、ケース１１の中に据え付けられる。電力モジュール１５３は、ケース１１の外側に据え付けられ、電圧調整器モジュール１５２および切り替えモジュール１５１を介して記憶モジュール１２、表示モジュール１３および処理モジュール１４に電気接続される。切り替えモジュール１５１は、電力モジュール１５３が記憶モジュール１２、表示モジュール１３および処理モジュール１４に電力を提供するか否かを制御する。
【００１９】
記憶モジュール１２が都市の時刻リストを記憶し、都市の時刻リストが時間帯情報および夏時間情報を含むため、処理モジュール１４は、基準時刻および都市の時刻リストに従って都市の現地時刻を計算することができる。したがって、デジタル世界時計装置は、１つの時計のみで複数の都市の現地時刻を表示することができる。デジタル世界時計装置１０が時刻の修正を必要とする場合、ユーザは記憶モジュール１２内の基準時刻を修正するように処理モジュール１４を単に調節すればよく、デジタル世界時計装置１０の処理モジュール１４は、都市の時刻リストに従って都市の現地時刻を計算することができる。したがってユーザは、都市の現地時刻をそれぞれ別々に修正する必要がなく、世界時計装置の時間修正のための時間を節約することができる。また、都市の現地時刻は手動による調節の代わりに処理モジュールの計算によって得られるため、都市のうちのいずれか２つの間の時差の誤差が回避され、精度が保証される。
【００２０】
さらにデジタル世界時計装置１０は、ネットワーク接続モジュール１６１と、ＧＰＳ（全地球測位システム）接続モジュール１６２とを備える。
【００２１】
ネットワーク接続モジュール１６１は処理モジュール１４に電気接続される。ネットワーク接続モジュール１６１は、ネットワーク修正信号を受信するためにインターネットに有線または無線で接続するのに使用される。したがって処理モジュール１４は、ネットワーク修正信号に従って基準時刻を自動的に修正され得る。本実施形態において、ネットワーク接続モジュール１６１はＲＪ４５コネクタであり、ネットワークケーブルに接続するためにケース１１の表面に据え付けられる。ネットワーク接続モジュール１６１は、ネットワーク修正信号を受信するためにＮＴＰ（ネットワーク時刻プロトコル）サーバにさらに接続される。
【００２２】
ＧＰＳ接続モジュール１６２はケース１１の表面に据え付けられ、処理モジュール１４に電気接続される。ＧＰＳ接続モジュール１６２は、ＧＰＳ修正信号を受信すべくＧＰＳモジュールに接続するために用いられる。したがって処理モジュール１４は、ＧＰＳ修正信号に従ってデジタル世界時計装置１０の基準時刻を自動的に修正することができる。
【００２３】
デジタル世界時計装置１０の基準時刻がインターネットまたはＧＰＳモジュールによって自動的に修正され得るものであり、処理モジュール１４が修正済みの基準時刻および都市の時刻リストに従って都市の現地時刻を計算し得るものであるため、都市の現地時刻の正確性を確保できる。
【００２４】
図３を参照すると、表示モジュール１３は、ＡＭ（午前零時以後）およびＰＭ（午前零時以前）表示エリア１３１、時刻表示エリア１３２、都市名表示エリア１３３および曜日表示エリア１３４を含む。処理モジュール１４が都市の現地時刻を計算し、かつ、該処理モジュール１４が都市名および対応する都市の現地時刻を交互にかつ周期的に表示すべく表示モジュール１３を制御する際、都市名表示エリア１３３が処理モジュール１４によって制御される都市名を交互にかつ周期的に表示する。時刻表示エリア１３２は、都市名表示エリア１３３に表示される都市名に対応する都市の現地時刻を表示する。ＡＭおよびＰＭ表示エリア１３１は、時刻表示エリア１３２内に表示される都市の現地時刻のＡＭまたはＰＭを示す。曜日表示エリア１３４は、都市名表示エリア１３３内に表示される都市名に対応する曜日を表示する。
【００２５】
表示モジュール１３が、都市名および対応する都市の現地時刻を交互にかつ周期的に表示する際、都市名の各々および対応する都市の現地時刻がある一定時間（specific time period）表示され、その後に、次の都市名の現地時刻および対応する都市の現地時刻が表示される。例えば図３では、始めに表示モジュール１３が都市名としての東京を表示し、３秒間にわたって東京の現地時刻を表示した後、表示モジュール１３が都市名としての台北を表示し、台北における現地時刻を表示する様子が示されている。本実施形態において、表示モジュール１３はＬＥＤモジュールである。
【００２６】
図２および図４を参照すると、デジタル世界時計装置は赤外線受信モジュール１６および赤外線制御装置２０をさらに備える。赤外線制御装置２０が赤外線信号を生成し、この赤外線信号をデジタル世界時計装置１０の赤外線受信モジュール１６に送信するよう、ユーザによって操作される。
【００２７】
赤外線受信モジュール１６は処理モジュール１４に電気接続される。赤外線受信モジュール１６は赤外線信号を受信し、この赤外線信号を処理モジュール１４に送信する。処理モジュール１４は、受信した赤外線信号に従って都市名のうちの特定の１つおよび対応する都市の現地時刻を表示するように表示モジュール１３を制御し得る。処理モジュール１４は、受信した赤外線信号に従って記憶モジュール１２内に記憶された都市の時刻リストの１つまたは複数を追加または削除し得る。処理モジュール１４は、受信した赤外線信号に従って都市名のうちの特定の１つおよび対応する都市の現地時刻を継続的に表示するように表示モジュール１３を制御し得る。さらに、処理モジュール１４は、受信した赤外線信号に従って表示される都市名のうちの１つおよび対応する都市の現地時刻の表示形式を変更することができる。本実施形態において、都市名および対応する都市の現地時刻の表示形式は１２時間時計と、２４時間時計を含む。
【００２８】
したがってユーザは赤外線制御装置２０を使用することによって、都市名のうちの特定の１つ及びこれに対応する都市の現地時刻を表示したり、記憶モジュール１２に記憶されている都市の時刻リストの１つまたは複数を追加または削除したり、あるいはデジタル世界時計装置１０の表示形式を変えたりすべく、デジタル世界時計装置１０の設定を変えることができる。
【００２９】
図２を参照すると、デジタル世界時計装置１０はさらに直列入力モジュール１７１および直列出力モジュール１７２を備える。直列入力モジュール１７１および直列出力モジュール１７２によって、複数のデジタル世界時計装置１０を直列に一緒に接続することができる。本実施形態において、直列に接続することができるデジタル世界時計装置の最大の数は６つである。
【００３０】
直列入力モジュール１７１は、先行するデジタル世界時計装置１０から電力および直列信号を受信すべく、この先行するデジタル世界時計装置１０の直列出力モジュール１７２に接続するために用いられる。直列入力モジュール１７１は、受信した直列信号を処理モジュール１４に送信するために処理モジュール１４に電気接続される。処理モジュール１４は、この直列信号に従ってデジタル世界時計装置１０の基準時刻を修正し得る。さらに直列入力モジュール１７１は、先行するデジタル世界時計装置１０から受信した電力を出力するために記憶モジュール１２、表示モジュール１３および処理モジュール１４に電気接続される。
【００３１】
直列出力モジュール１７２は、処理モジュール１４によって生成された直列信号を受信するために処理モジュール１４に電気接続される。直列出力モジュール１７２はさらに、処理モジュール１４によって生成された直列信号を次のデジタル世界時計装置１０に出力すべく、次のデジタル世界時計装置１０の直列入力モジュール１７１に電気接続される。さらに、直列出力モジュール１７２は、切り替えモジュールを介して電力モジュール１５３から電力を受け取るために切り替えモジュール１５１に電気接続され、直列出力モジュール１７２は、電力モジュール１５３からの電力を次のデジタル世界時計装置１０に出力する。
【００３２】
図５を参照すると、例えば５つのデジタル世界時計装置１０が直列に接続されている。第１のデジタル世界時計装置１０ａは、電力を受け取るために電気の取り出し口に接続される。第１のデジタル世界時計装置１０ａはさらに第２のデジタル世界時計装置１０ｂに接続され、第２から第５のデジタル世界時計装置１０ｂ〜１０ｆが直列に接続される。例えば第１のデジタル世界時計装置１０ａの直列出力モジュール１７２は、第２のデジタル世界時計装置１０ｂの直列入力モジュール１７１に接続される。第２のデジタル世界時計装置１０ｂの直列出力モジュール１７２は、第３のデジタル世界時計装置１０ｃの直列入力モジュール１７１に接続される。第３のデジタル世界時計装置１０ｃの直列出力モジュール１７２は、第４のデジタル世界時計装置１０ｄの直列入力モジュール１７１に接続される。第４のデジタル世界時計装置１０ｄの直列出力モジュール１７２は、第５のデジタル世界時計装置１０ｆの直列入力モジュール１７１に接続される。
【００３３】
第１から第５のデジタル世界時計装置１０ａ〜１０ｆは、第１から第５のデジタル世界時計装置１０ａ〜１０ｆの間で第１から第５のデジタル世界時計装置１０ａ〜１０ｆの直列接続を介して直列信号および電力を伝達することができる。したがって第１のデジタル世界時計装置１０ａが電力を受け取るために電気の取り出し口に接続され、かつ修正信号を受信するためにインターネットまたはＧＰＳモジュールに接続される際、第１から第５のデジタル世界時計装置１０ａ〜１０ｆは、第１から第５のデジタル世界時計装置１０ａ〜１０ｆの直列接続を介して電力および修正信号を受け取ることができ、第１から第５のデジタル世界時計装置１０ａ〜１０ｆは通常は使用中の状態であってよい。
【００３４】
さらにユーザは、直列に接続された５つのデジタル世界時計装置１０ａ〜１０ｆの各々の中に異なる都市の時刻リストを設定することができる。そして、第１から第５のデジタル世界時計装置１０ａ〜１０ｆの各々は異なる都市名および対応する都市の現地時刻を交互に、周期的にかつ個別に表示することができる。
【００３５】
例えば、第１のデジタル世界時計装置１０ａは、米国のカリフォルニア州の都市、例えばロサンゼルス、サンフランシスコおよびサンディエゴなどを記憶することができる。第２のデジタル世界時計装置１０ｂは、米国のコロラド州の都市、例えばデンバー、ボルダーおよびコロラドスプリングスなどを記憶することができる。第３のデジタル世界時計装置１０ｃは、米国のイリノイ州の都市、例えばシカゴ、ロックフォードおよびスプリングフィールドなどを記憶することができる。第４のデジタル世界時計装置は、日本の都市、例えば東京、横浜および大阪などを記憶することができる。第５のデジタル世界時計装置は、米国のニューヨーク州の都市、例えばニューヨークシティ、バッファローおよびロチェスターなどを記憶することができる。
【００３６】
５つのデジタル世界時計装置１０ａ〜１０ｆのうちのいずれか１つが時刻の修正を必要とする場合、第２から第５のデジタル世界時計装置１０ｂ〜１０ｆは、第１から第５のデジタル世界時計装置１０ａ〜１０ｆの直列接続を介して第１デジタル世界時計装置１０ａから修正信号をロードし、その後５つのデジタル世界時計装置１０ａ〜１０ｆの時刻を修正することができる。したがって同一の修正信号によって５つのデジタル世界時計装置１０ａ〜１０ｆの時刻を同時に修正することで精度を保証することができる。さらに、第２から第５のデジタル世界時計装置１０ｂ〜１０ｆは、第１のデジタル世界時計装置１０ａから電力を受け取るため、第２から第５のデジタル世界時計装置１０ｂ〜１０ｆは、電源に接続される必要がなく、これはユーザにとってかなり好都合である。
【符号の説明】
【００３７】
１０  デジタル世界時計装置
１０ａ〜１０ｆ  第１〜５のデジタル世界時計装置
１１  ケース
１２  記憶モジュール
１３  表示モジュール
１３１  ＡＭおよびＰＭ表示エリア
１３２  時刻表示エリア
１３３  都市名表示エリア
１３４  曜日表示エリア
１４  処理モジュール
１５１  切り替えモジュール
１５２  電圧調整器モジュール
１５３  電力モジュール
１６  赤外線受信モジュール
１６１  ネットワーク接続モジュール
１６２  ＧＰＳ接続モジュール
１７１  直列入力モジュール
１７２  直列出力モジュール
２０  赤外線制御装置
【図１】
0003204826.tif 000003
【図２】
0003204826.tif 000004
【図３】
0003204826.tif 000005
【図４】
0003204826.tif 000006
【図５】
0003204826.tif 000007